【事件の表示】
　特願２０１４−５０６３２７「多視点ビデオの動きベクトル符号化方法及び装置、その復号化方法及び装置」拒絶査定不服審判事件〔平成２４年１０月２６日国際公開、ＷＯ２０１２／１４４８２９、平成２６年　６月　５日国内公表、特表２０１４−５１３８９７、請求項の数（９）〕について、次のとおり審決する。
【結　論】
　原査定を取り消す。
　本願の発明は、特許すべきものとする。
【理　由】
第１．手続の経緯
　本願は、２０１２年（平成２４年）４月１９日（パリ条約による優先権主張外国庁受理２０１１年４月１９日、韓国）を国際出願日とする出願であって、平成２６年１２月２５日（起案日）付けで拒絶の理由が通知され、それに応答して平成２７年４月６日付けで手続補正がなされたが、平成２７年７月２４日（起案日）付けで拒絶査定がなされた。
　これに対し、平成２７年１１月３０日に拒絶査定不服審判が請求されるととともに、同時に手続補正がなされたものである。
第２．平成２７年１１月３０日付けの手続補正の適否
１．補正の内容
　平成２７年１１月３０日付けの手続補正（以下、「本件補正」という。）は、平成２７年４月６日付けの手続補正による特許請求の範囲を補正するものであり、本件補正前及び本件補正後の特許請求の範囲は、それぞれ以下のとおりのものである（下線は補正箇所）。
（補正前）
【請求項１】
　多視点ビデオの動きベクトル符号化方法において、
　符号化される現在ブロックの第１視点と異なる第２視点の第１参照フレームに対して前記現在ブロックに対する動き予測を行って、前記現在ブロックの視点方向動きベクトルを定める段階と、
　前記現在ブロックの周辺ブロックのうち、前記第１視点と異なる視点の参照フレームを参照する周辺ブロックの視点方向動きベクトル、及び前記現在ブロックと同じ第１視点に属しつつ、前記現在フレームのＰＯＣ（Ｐｉｃｔｕｒｅ　Ｏｒｄｅｒ　Ｃｏｕｎｔ）と異なるＰＯＣを持つ第２参照フレームに属する対応領域が持つ視点方向動きベクトルを用いて、視点方向予測動きベクトル候補を定める段階と、
　前記視点方向予測動きベクトル候補から選択された一つの視点方向予測動きベクトルと前記現在ブロックの視点方向動きベクトルとの差値、及び前記選択された視点方向予測動きベクトルに関するモード情報を符号化する段階と、を含み、
　前記視点方向予測動きベクトル候補は、
　前記第２参照フレームに属しつつ、前記現在ブロックと同位置のブロックを、前記現在ブロックの周辺ブロックの時間方向動きベクトルの中間値を用いてシフトした、対応ブロックが持つ視点方向動きベクトルを含む、ことを特徴とする多視点ビデオの動きベクトル符号化方法。
【請求項２】
　前記視点方向予測動きベクトル候補は、前記第１視点と異なる視点の参照フレームを参照する前記現在ブロックの左側に隣接しているブロックの視点方向動きベクトルから選択された視点方向第１予測動きベクトル、前記現在ブロックの上側に隣接しているブロックの視点方向動きベクトルから選択された視点方向第２予測動きベクトル、及び前記現在ブロック以前に符号化されたコーナーに位置しているブロックの視点方向動きベクトルから選択された視点方向第３予測動きベクトル、を含むことを特徴とする請求項１に記載の多視点ビデオの動きベクトル符号化方法。
【請求項３】
　前記視点方向予測動きベクトル候補は、
　前記視点方向第１予測動きベクトル、前記視点方向第２予測動きベクトル及び前記視点方向第３予測動きベクトルの中間値（ｍｅｄｉａｎ）をさらに含むことを特徴とする請求項２に記載の多視点ビデオの動きベクトル符号化方法。
【請求項４】
　前記選択された視点方向予測動きベクトルに関するモード情報を符号化する段階は、前記視点方向予測動きベクトル候補を所定インデックスによって区別し、前記現在ブロックの視点方向動きベクトルの予測に用いられた視点方向予測動きベクトルに対応するインデックス情報を符号化することを特徴とする請求項１に記載の多視点ビデオの動きベクトル符号化方法。
【請求項５】
　多視点ビデオの動きベクトル復号化方法において、
　ビットストリームから復号化される現在ブロックの予測動きベクトルに関する情報、及び前記現在ブロックの動きベクトルと前記現在ブロックの予測動きベクトルとの差値を復号化する段階と、
　前記復号化された現在ブロックの予測動きベクトルに関する情報に基づいて前記現在ブロックの予測動きベクトルを定める段階と、
　前記予測動きベクトル及び前記差値に基づいて前記現在ブロックの動きベクトルを復元する段階と、を含み、
　前記予測動きベクトルは、
　前記現在ブロックの周辺ブロックのうち、前記現在ブロックの第１視点と異なる視点の参照フレームを参照する周辺ブロックの視点方向動きベクトル、及び前記現在ブロックと同じ第１視点に属しつつ、前記現在フレームのＰＯＣと異なるＰＯＣを持つ第２参照フレームに属する対応領域が持つ視点方向動きベクトルを用いて定められた視点方向予測動きベクトル候補から、前記予測動きベクトル情報に含まれたインデックス情報によって選択され、
　前記視点方向予測動きベクトル候補は、
　前記第２参照フレームに属しつつ、前記現在ブロックと同位置のブロックを、前記現在ブロックの周辺ブロックの時間方向動きベクトルの中間値を用いてシフトした、対応ブロックが持つ視点方向動きベクトルを含む、ことを特徴とする多視点ビデオの動きベクトル復号化方法。
【請求項６】
　前記視点方向予測動きベクトル候補は、前記第１視点と異なる視点の参照フレームを参照する前記現在ブロックの左側に隣接しているブロックの視点方向動きベクトルから選択された視点方向第１予測動きベクトル、前記現在ブロックの上側に隣接しているブロックの視点方向動きベクトルから選択された視点方向第２予測動きベクトル、及び前記現在ブロック以前に符号化されたコーナーに位置しているブロックの視点方向動きベクトルから選択された視点方向第３予測動きベクトル、を含むことを特徴とする請求項５に記載の多視点ビデオの動きベクトル復号化方法。
【請求項７】
　前記視点方向予測動きベクトル候補は、
　前記視点方向第１予測動きベクトル、前記視点方向第２予測動きベクトル及び前記視点方向第３予測動きベクトルの中間値をさらに含むことを特徴とする請求項６に記載の多視点ビデオの動きベクトル復号化方法。
【請求項８】
　多視点ビデオの動きベクトル符号化装置において、
　符号化される現在ブロックの第１視点と異なる第２視点の第１参照フレームに対して前記現在ブロックに対する動き予測を行って、前記現在ブロックの視点方向動きベクトルを定める視点方向動き予測部と、
　前記現在ブロックの周辺ブロックのうち、前記第１視点と異なる視点の参照フレームを参照する周辺ブロックの視点方向動きベクトル、及び前記現在ブロックと同じ第１視点に属しつつ、前記現在フレームのＰＯＣと異なるＰＯＣを持つ第２参照フレームに属する対応領域が持つ視点方向動きベクトルを用いて視点方向予測動きベクトル候補を定め、前記視点方向予測動きベクトル候補から選択された一つの視点方向予測動きベクトルと前記現在ブロックの視点方向動きベクトルとの差値、及び前記選択された視点方向予測動きベクトルに関するモード情報を符号化する動きベクトル符号化部と、を備え、
　前記視点方向予測動きベクトル候補は、
　前記第２参照フレームに属しつつ、前記現在ブロックと同位置のブロックを、前記現在ブロックの周辺ブロックの時間方向動きベクトルの中間値を用いてシフトした、対応ブロックが持つ視点方向動きベクトルを含む、ことを特徴とする多視点ビデオの動きベクトル符号化装置。
【請求項９】
　多視点ビデオの動きベクトル復号化装置において、
　ビットストリームから復号化される現在ブロックの予測動きベクトルに関する情報、及び前記現在ブロックの動きベクトルと前記現在ブロックの予測動きベクトルとの差値を復号化する動きベクトル復号化部と、
　前記復号化された現在ブロックの予測動きベクトルに関する情報に基づいて前記現在ブロックの予測動きベクトルを定め、前記予測動きベクトル及び前記差値に基づいて前記現在ブロックの動きベクトルを復元する動き補償部と、を備え、
　前記予測動きベクトルは、
　前記現在ブロックの周辺ブロックのうち、前記現在ブロックの第１視点と異なる視点の参照フレームを参照する周辺ブロックの視点方向動きベクトル、及び前記現在ブロックと同じ第１視点に属しつつ、前記現在フレームのＰＯＣと異なるＰＯＣを持つ第２参照フレームに属する対応領域が持つ視点方向動きベクトルを用いて定められた視点方向予測動きベクトル候補から、前記予測動きベクトル情報に含まれたインデックス情報によって選択され、
　前記視点方向予測動きベクトル候補は、
　前記第２参照フレームに属しつつ、前記現在ブロックと同位置のブロックを、前記現在ブロックの周辺ブロックの時間方向動きベクトルの中間値を用いてシフトした、対応ブロックが持つ視点方向動きベクトルを含む、ことを特徴とする多視点ビデオの動きベクトル復号化装置。
（補正後）
【請求項１】
　多視点ビデオの動きベクトル符号化方法において、
　符号化される現在ブロックの第１視点と異なる第２視点の第１参照フレームに対して前記現在ブロックに対する動き予測を行って、前記現在ブロックの視点方向動きベクトルを定める段階と、
　前記現在ブロックの周辺ブロックのうち、前記第１視点と異なる視点の参照フレームを参照する周辺ブロックの視点方向動きベクトル、及び前記現在ブロックと同じ第１視点に属しつつ
、現
　前記視点方向予測動きベクトル候補から選択された一つの視点方向予測動きベクトルと前記現在ブロックの視点方向動きベクトルとの差値、及び前記選択された視点方向予測動きベクトルに関するモード情報を符号化する段階と、を含み、
　前記視点方向予測動きベクトル候補は、
　
前記現在ブロック以前に符号化されたコーナーに位置しているブロックの視点方向動きベクトルから選択された視点方向第１予測動きベクトル、
み、前記コーナーは前記現在ブロックの左下段の位置を含
【請求項２】
　前記視点方向予測動きベクトル候補は、前記第１視点と異なる視点の参照フレームを参照する前記現在ブロックの左側に隣接しているブロックの視点方向動きベクトルから選択された視点方向第
２
及び
３
、を
【請求項３】
　前記視点方向予測動きベクトル候補は、
　前記視点方向第１予測動きベクトル、前記視点方向第２予測動きベクトル及び前記視点方向第３予測動きベクトルの中間値（ｍｅｄｉａｎ）をさらに含むことを特徴とする請求項２に記載の多視点ビデオの動きベクトル符号化方法。
【請求項４】
　前記選択された視点方向予測動きベクトルに関するモード情報を符号化する段階は、前記視点方向予測動きベクトル候補を所定インデックスによって区別し、前記現在ブロックの視点方向動きベクトルの予測に用いられた視点方向予測動きベクトルに対応するインデックス情報を符号化することを特徴とする請求項１に記載の多視点ビデオの動きベクトル符号化方法。
【請求項５】
　多視点ビデオの動きベクトル復号化方法において、
　ビットストリームから復号化される現在ブロックの予測動きベクトルに関する情報、及び前記現在ブロックの動きベクトルと前記現在ブロックの予測動きベクトルとの差値を復号化する段階と、
　前記復号化された現在ブロックの予測動きベクトルに関する情報に基づいて前記現在ブロックの予測動きベクトルを定める段階と、
　前記予測動きベクトル及び前記差値に基づいて前記現在ブロックの動きベクトルを復元する段階と、を含み、
　前記予測動きベクトルは、
　前記現在ブロックの周辺ブロックのうち、前記現在ブロックの第１視点と異なる視点の参照フレームを参照する周辺ブロックの視点方向動きベクトル、及び前記現在ブロックと同じ第１視点に属しつつ
、現
　前記視点方向予測動きベクトル候補は、
　
前記現在ブロック以前に符号化されたコーナーに位置しているブロックの視点方向動きベクトルから選択された視点方向第１予測動きベクトル、
み、前記コーナーは前記現在ブロックの左下段の位置を含
【請求項６】
　前記視点方向予測動きベクトル候補は、前記第１視点と異なる視点の参照フレームを参照する前記現在ブロックの左側に隣接しているブロックの視点方向動きベクトルから選択された視点方向第
２
及び
３
、を
【請求項７】
　前記視点方向予測動きベクトル候補は、
　前記視点方向第１予測動きベクトル、前記視点方向第２予測動きベクトル及び前記視点方向第３予測動きベクトルの中間値をさらに含むことを特徴とする請求項６に記載の多視点ビデオの動きベクトル復号化方法。
【請求項８】
　多視点ビデオの動きベクトル符号化装置において、
　符号化される現在ブロックの第１視点と異なる第２視点の第１参照フレームに対して前記現在ブロックに対する動き予測を行って、前記現在ブロックの視点方向動きベクトルを定める視点方向動き予測部と、
　前記現在ブロックの周辺ブロックのうち、
前記現在ブロック以前に符号化されたコーナーに位置しているブロックの視点方向動きベクトルから選択された視点方向第１予測動きベクトル、
、現
であって、前記コーナーは前記現在ブロックの左下段の位置を含む、動きベクトル符号化部
　前記視点方向予測動きベクトル候補は、
　前記第２参照フレームに属しつつ、前記現在ブロックと同位置のブロックを、前記現在ブロックの周辺ブロックの時間方向動きベクトルの中間値を用いてシフトした、対応ブロックが持つ視点方向動きベクトルを含む、ことを特徴とする多視点ビデオの動きベクトル符号化装置。
【請求項９】
　多視点ビデオの動きベクトル復号化装置において、
　ビットストリームから復号化される現在ブロックの予測動きベクトルに関する情報、及び前記現在ブロックの動きベクトルと前記現在ブロックの予測動きベクトルとの差値を復号化する動きベクトル復号化部と、
　前記復号化された現在ブロックの予測動きベクトルに関する情報に基づいて前記現在ブロックの予測動きベクトルを定め、前記予測動きベクトル及び前記差値に基づいて前記現在ブロックの動きベクトルを復元する動き補償部と、を備え、
　前記予測動きベクトルは、
　前記現在ブロックの周辺ブロックのうち、前記現在ブロックの第１視点と異なる視点の参照フレームを参照する周辺ブロックの視点方向動きベクトル、及び前記現在ブロックと同じ第１視点に属しつつ
、現
　前記視点方向予測動きベクトル候補は、
　
前記現在ブロック以前に符号化されたコーナーに位置しているブロックの視点方向動きベクトルから選択された視点方向第１予測動きベクトル、
み、前記コーナーは前記現在ブロックの左下段の位置を含
　本件補正は、以下に示す補正事項を有している。
（１）補正事項１
　独立請求項１，５において、「視点方向予測動きベクトル候補」に、それぞれ請求項２，６に視点方向予測動きベクトル候補の一つとして存在する「前記現在ブロック以前に符号化されたコーナーに位置しているブロックの視点方向動きベクトルから選択された視点方向第３予測動きベクトル」を、その番号を「第１」に振り直して「前記現在ブロック以前に符号化されたコーナーに位置しているブロックの視点方向動きベクトルから選択された視点方向第１予測動きベクトル」として追加するとともに、それに伴い請求項２，６において、「視点方向第１予測動きベクトル」、及び「視点方向第２予測動きベクトル」の番号を、「視点方向第２予測動きベクトル」、及び「視点方向第３予測動きベクトル」と振り直す補正。
（２）補正事項２
　独立請求項８，９において、「視点方向予測動きベクトル候補」に、「前記現在ブロック以前に符号化されたコーナーに位置しているブロックの視点方向動きベクトルから選択された視点方向第１予測動きベクトル」を追加する補正。
（３）補正事項３
　独立請求項１，５，８，９において、「前記コーナーは前記現在ブロックの左下段の位置を含む」ことを追加する補正。
（４）補正事項４
　独立請求項１，５，８，９において、「前記現在フレームのＰＯＣ」の「前記」を削除し「現在フレームのＰＯＣ」とする補正。
２．補正の適否の判断
（１）補正の範囲及び単一性について
　補正事項１ないし３は、願書に最初に添付した明細書の段落００３８，００３９の記載、及び図５に基づくものであり、「視点方向予測動きベクトル候補」についての態様を追加するのみであるから、発明の特別な技術的特徴を変更するものでもない。
　また、補正事項４は、「前記」を削除するのみであるから、願書に最初に添付した明細書の記載に基づくものであり、発明の特別な技術的特徴を変更するものではないことは明らかである。
　よって、本件補正は、特許法第１７条の２第３項に規定される願書に最初に添付した明細書、特許請求の範囲又は図面に記載した事項の範囲内においてするものであり、かつ、特許法第１７条の２第４項に規定される補正前と補正後の特許請求の範囲に記載された発明の間で発明の単一性の要件に適合するものである。
（２）補正の目的について
　本件補正の補正事項１ないし３は、請求項１，５，８，９に記載した発明を特定するために必要な事項である「視点方向予測動きベクトル候補」についての態様の限定を付加するものあって、補正前の請求項に記載された発明と補正後の請求項に記載された発明の産業上の利用分野及び解決しようとする課題が同一であるから、特許法第１７条の２第５項第２号の特許請求の範囲の減縮を目的とするものに該当する。
　本件補正の補正事項４は、請求項１，５，８，９において「前記現在フレームのＰＯＣ」という記載の前段に「現在フレームのＰＯＣ」という記載はないから、誤記の訂正を目的とするものであることは明らかであり、特許法第１７条の２第５項第３号に該当する。
（３）独立特許要件について
　以上のように、本件補正は特許請求の範囲の減縮を目的とする補正事項を含むものであるから、本件補正後の請求項１ないし９に記載された発明（以下、本件補正後の各請求項に記載された発明を、それぞれ、「補正後発明１」、「補正後発明２」、・・・などという。）が特許法第１７条の２第６項において準用する同法第１２６条第７項の規定に適合するか（特許出願の際独立して特許を受けることができるものであるか）について以下に検討する。
（３−１）補正後発明１について
ア．補正後発明１
　補正後発明１は、上記「１．補正の内容」の（補正後）の請求項１に記載した事項により特定される次のとおりのものである。
　なお、補正後発明１の各構成の符号は、説明のために当審において付与したものであり、以下、構成（Ａ）、構成（Ｂ）などと称する。
（補正後発明１）
（Ａ）多視点ビデオの動きベクトル符号化方法において、
（Ｂ）符号化される現在ブロックの第１視点と異なる第２視点の第１参照フレームに対して前記現在ブロックに対する動き予測を行って、前記現在ブロックの視点方向動きベクトルを定める段階と、
（Ｃ）前記現在ブロックの周辺ブロックのうち、前記第１視点と異なる視点の参照フレームを参照する周辺ブロックの視点方向動きベクトル、及び前記現在ブロックと同じ第１視点に属しつつ、現在フレームのＰＯＣ（Ｐｉｃｔｕｒｅ　Ｏｒｄｅｒ　Ｃｏｕｎｔ）と異なるＰＯＣを持つ第２参照フレームに属する対応領域が持つ視点方向動きベクトルを用いて、視点方向予測動きベクトル候補を定める段階と、
（Ｄ）前記視点方向予測動きベクトル候補から選択された一つの視点方向予測動きベクトルと前記現在ブロックの視点方向動きベクトルとの差値、及び前記選択された視点方向予測動きベクトルに関するモード情報を符号化する段階と、を含み、
（Ｅ）前記視点方向予測動きベクトル候補は、
（Ｅ−１）前記現在ブロック以前に符号化されたコーナーに位置しているブロックの視点方向動きベクトルから選択された視点方向第１予測動きベクトル、
（Ｅ−２）前記第２参照フレームに属しつつ、前記現在ブロックと同位置のブロックを、前記現在ブロックの周辺ブロックの時間方向動きベクトルの中間値を用いてシフトした、対応ブロックが持つ視点方向動きベクトルを含み、
（Ｅ−３）前記コーナーは前記現在ブロックの左下段の位置を含む、
（Ｆ）ことを特徴とする多視点ビデオの動きベクトル符号化方法。
イ．引用文献の記載事項
（ア）原査定の拒絶の理由に引用された特表２００９−５４３５０８号公報（以下、「引用文献１」という。）には、「信号処理方法及び装置」（発明の名称）に関し、図面と共に次に掲げる事項が記載されている。
　なお、下線は強調のために当審で付したものである。
ａ．「【０００１】
　
本発明は、信号処理方法
に関するものである。
【背景技術】
【０００２】
　
圧縮符号化とは、デジタル化した情報を通信回線を通し伝送したり、保存媒体に適合した形態で保存する一連の信号処理技術のことを意味する。
映像を対象にして圧縮符号化を行う技術をビデオ映像圧縮と称する。
１台以上のカメラを用いて多様な視点を使用者に提供する３次元（３Ｄ）映像処理の一分野として多視点ビデオ（Ｍｕｌｔｉ-ｖｉｅｗ　ｖｉｄｅｏ）映像がある。
【発明の概要】
【発明が解決しようとする課題】
【０００３】
　
多視点ビデオ映像は、視点間に高い相関関係を持っているので、視点間の空間的予測を通じて重複した情報を除去することができる。したがって、視点間の予測を效率的に行うための様々な圧縮技術が必要である。
ｂ．「【００２８】
　
本発明でいうユニットは、ビデオ信号に適用するときには、ブロック、サブブロック、マクロブロック、スライス、ピクチャ、フレーム、ピクチャグループ、シーケンスなどの意味をいずれも含むことができる。
【００２９】
　
多視点ビデオシーケンスにおいて、各ユニットは、第１ドメインと第２ドメイン領域に存在することができる。例えば、第１ドメインは時間領域、第２ドメインは視点領域でありう得る。
したがって、いずれかのユニットは時間方向にのみ予測情報を得ることができ、いずれかのユニットは視点方向にのみ予測情報を得ることができる。
この時、時間方向にコーディング情報を予測することになる場合、レファレンスユニットが同一視点の他の時間帯に存在すると、各ユニットは時間方向の動きベクトルを持つことになる。そして、レファレンスユニットが同一時間帯の他の視点に存在すると、各ユニットは視点方向の動きベクトルを持つことになる。
ｃ．「【００３０】
　本発明が適用される一実施例として、
現在のユニット１に対して時間方向の動きベクトルが与えられた時、時間方向の動きベクトルを用いて現在のユニット１の視点方向の動きベクトルを予測できる。例えば、現在のユニット１と相関性の最も高い相関ユニット３（例えば、レファレンスユニット）で時間方向の動きベクトルが示すユニットＭ３を見つけることができる。このとき、ユニットＭ３が視点方向の動きベクトルｍｖ３＿ｆを持っていると、これを現在のユニット１の視点方向の動きベクトルと予測できる。
ｄ．「【００３４】
　本発明が適用される他の実施例であって、
現在のユニットに隣接するユニットの情報を用いて現在のユニットの動き情報を予測することができる。
【００３５】
　例えば、
現在ユニット１に隣接するユニットのうち、２個の隣接ユニットＡ、Ｂが時間方向の動きベクトルを持っており、１個のユニットＣが視点方向の動きベクトルを持っていると仮定する。
【００３６】
　例えば、
現在のユニット１の視点方向の動きベクトルを予測しようとする場合には、隣接ユニットＣの視点方向の動きベクトルを直接用いることができる。また、上記の実施例で説明した方法を用いると、隣接ユニットＡ、Ｂの時間方向の動きベクトルを用いてそれぞれの視点方向の動きベクトルを予測できる。そして、これら３個の視点方向の動きベクトルを用いて現在のユニット１の視点方向の動きベクトルをより正確に予測できる。
ｅ．「【００３９】
　これと同様に、
Ｔユニットの現在のブロックがイントラコーディングされた場合、隣接ブロックの時間方向の動きベクトルを用いて時間方向の動きベクトルを予測でき、これを現在のブロックの時間方向の動きベクトルと設定するとができる。
その他には、前述した方式のようにレファレンスユニットによって予測した動きベクトルを、現在のブロックの動きベクトルと設定することができる。Ｔ／Ｖユニットでイントラコーディングが行われる場合にも、隣接ブロックの時間方向の動きベクトルと視点方向の動きベクトルを用いて現在のブロックの動きベクトルを予測できる。このようにイントラコーディングが適用されるユニットに対して、隣接ユニットを通じて予測する方法は、隣接する３つのユニットの中間値（ｍｅｄｉａｎ）を取っても良く、隣接する４ｘ４ユニット９個の平均値を取っても良い。
ｆ．「【００６０】
　
エンコーダでは、現在のブロックに隣接するブロックの動き情報を用いて、現在のブロックの動き情報を予測し、実際の動きベクトルと予測された動きベクトルとの差値を伝送する。
例えば、隣接ブロックに現在のマクロブロックと同じ参照ピクチャ番号を持つブロックが一つのみ存在する場合には、この隣接ブロックの動きベクトルをそのまま使用し、それ以外の場合には、隣接ブロックの動きベクトルの中間値（ｍｅｄｉａｎ　ｖａｌｕｅ）を使用する。
ｇ．「【００６４】
　本発明が適用される実施例として、
同一位置（ｃｏ−ｌｏｃａｔｅｄ）ブロックの視点間動き情報を用いて現在のブロックの動きベクトルを予測できる。
異なるピクチャに含まれた現在のブロックと同じ位置に存在するブロックを意味しても良い。
ｈ．「【００９１】
　本発明の一実施例として、
時間方向に現在のピクチャの以前または以後のピクチャから得られた動き情報を用いて現在のピクチャの視点方向の動き情報を予測できる。
現在のブロックの視点方向の動き情報を予測する時、時間方向に現在のピクチャの以前または以後のピクチャにおいて現在のブロックと同一位置にあるブロック（ｃｏ−ｌｏｃａｔｅｄ　ｂｌｏｃｋ）を用いることができる。
ｉ．「【０１１３】
　本発明の実施例として、
現在のブロックの視点方向に対するコーディング情報を予測するために現在のブロックに隣接するブロックＡ，Ｂ，Ｃ，Ｄのコーディング情報を用いることができる。例えば、隣接ブロックが視点方向のピクチャを参照する場合、隣接ブロックのコーディング情報を現在のブロックのコーディング情報予測値として用いることができる。
ｊ．「【０１２３】
　まず、
現在のブロックに隣接するブロックが視点方向のピクチャを参照するか否か確認することができる（Ｓ１１１０）。このとき、隣接ブロックを一定の順番で確認することができる。例えば、現在のブロックの左側にあるブロック（Ａ）をまず確認し後、順次に、現在のブロックの上側にあるブロック（Ｂ）を確認し、上側ブロック（Ｂ）の右側にあるブロック（Ｃ）を確認し、上側ブロック（Ｂ）の左側にあるブロック（Ｄ）を確認することができる。
（イ）同じく、原査定の拒絶の理由に引用された特開２００８−２１１６９７号公報（以下、「引用文献２」という。）には、その第１頁の要約に、次に掲げる事項が記載されている。
「【課題】
予測ベクトル（ＰＭＶ）の選択情報の付与・非付与の判定方法
【解決手段】
符号化装置１１は、
ＰＭＶの選択情報を付与するか否かを所定の方法により判定し、
ＰＭＶの選択情報が存在する場合にその選択情報を符号化する選択情報符号化部１８とを有し、ＭＶとＰＭＶとの差分を符号化する。
（ウ）前置報告書において周知技術を示すために提示された国際公開第２０１１／０１９２４７号（以下、「周知文献」という。）には、図面と共に次に掲げる事項が記載されている。
　なお、括弧内に当審で作成した日本語仮訳を添付する。
「[97] FIGs. 10A and 10B illustrate motion vector predictor candidates of an explicit mode, according to one or more exemplary embodiments. Referring to FIG. 10A, a motion vector predicting method according to an exemplary embodiment can use one of motion vectors of previously encoded blocks adjacent to a current block as a motion vector predictor of the current block. A block a0 in the leftmost among blocks adjacent to an upper side of the current block, a block b0 in the upper-most among blocks adjacent to a left side thereof, a block c adjacent to an upper-right side thereof, a block d adjacent to an upper-left side thereof, and a block e adjacent to a lower-right side thereof can be used for motion vector predictors of the current block.」
（
図１０Ａ及び図１０Ｂは、一以上の実施形態による明示モードの動きベクトル予測候補を示している。
現在ブロックの上部に隣接したブロックのうち最も左側のａ０ブロック、左側に隣接したブロックのうち最も上部のｂ０ブロック、右上部に隣接したｃブロック、左上部に隣接したｄブロック、及び右下部（当審の注釈：図を参照すれば左下部の誤記と認められる）に隣接したｅブロックが、現在ブロックの動きベクトル予測子として利用することができる。
「
」
ウ．引用発明及び技術事項
（ア）引用文献１に記載される発明
ａ．多視点ビデオ映像の圧縮方法
　上記イ（ア）ａの記載によれば、引用文献１には、『多視点ビデオ映像の圧縮符号化方法』に関する発明が記載されている。
ｂ．視点方向の動き予測
　上記イ（ア）ｂの記載によれば、多視点ビデオシーケンスの各ブロックは、視点方向に予測する場合、同一時間帯の他の視点にレファレンスブロックを設定し、視点方向の動きベクトルを得る。
　そして、上記イ（ア）ｆの記載によれば、エンコーダは、現在のブロックに隣接するブロックの動き情報を用いて、現在のブロックの動き情報を予測し、実際の動きベクトルと予測された動きベクトルとの差値を伝送する。
　すなわち、引用文献１には、『現在ブロックを視点方向に予測する場合、同一時間帯の他の視点にレファレンスブロックを設定して動き予測を行い、視点方向の動きベクトルを求める』こと、及び『現在のブロックの実際の視点方向の動きベクトルと予測された視点方向の動きベクトルとの差値を伝送する』ことが記載されている。
ｃ．視点方向の動きベクトルの予測
　上記イ（ア）ｃ、ｄの記載によれば、現在ブロックの視点方向の動きベクトルを、現在ブロックに隣接するブロックの動きベクトルを用いて予測すること、具体的には、視点方向の動きベクトルを持っている隣接ブロックＣの視点方向の動きベクトルを直接予測に用いること、及び、時間方向の動きベクトルを持っている２個の隣接ブロックＡ、Ｂの時間方向の動きベクトルを利用し、その時間方向の動きベクトルが示す２個のレファレンスブロックが持っているそれぞれの視点方向の動きベクトルを予測に用いることが記載されている。
　すなわち、引用文献１には、『現在ブロックに隣接するブロックのうち、視点方向の動きベクトルを持っている隣接ブロックＣの視点方向の動きベクトル、及び、時間方向の動きベクトルを持っている２個の隣接ブロックＡ、Ｂの時間方向の動きベクトルが示す２個のレファレンスブロックが持っているそれぞれの視点方向の動きベクトルを用いて、現在ブロックの視点方向の動きベクトルを予測する』ことが記載されている。
ｄ．記載事項のまとめ
　上記ａないしｃによると、引用文献１には次の発明（以下、「引用発明１」という。）が記載されていると認められる。
　なお、引用発明１の各構成の符号は、説明のために付与したものであり、以下、構成（ａ）、構成（ｂ）などと称する。
（引用発明１）
（ａ）多視点ビデオ映像の圧縮符号化方法において、
（ｂ）現在ブロックを視点方向に予測する場合、同一時間帯の他の視点にレファレンスブロックを設定して動き予測を行い、視点方向の動きベクトルと求め、
（ｃ）現在ブロックに隣接するブロックのうち、視点方向の動きベクトルを持っている隣接ブロックＣの視点方向の動きベクトル、及び、時間方向の動きベクトルを持っている２個の隣接ブロックＡ、Ｂの時間方向の動きベクトルが示す２個のレファレンスブロックが持っているそれぞれの視点方向の動きベクトルを用いて、現在ブロックの視点方向の動きベクトルを予測し、
（ｄ）現在のブロックの実際の視点方向の動きベクトルと予測された視点方向の動きベクトルとの差値を伝送する、
（ｅ）多視点ビデオ映像の圧縮符号化方法。
（イ）引用文献１の他の実施例に記載される技術事項
ａ．上記イ（ア）ｅ、ｆの記載によれば、引用文献１には、『隣接する複数のブロックを用いて現在のブロックの動きベクトルを予測する場合に、隣接する複数のブロックのそれぞれ動きベクトルの中間値（ｍｅｄｉａｎ）や平均値を用いる』ことが記載されている。
ｂ．上記イ（ア）ｇ、ｈの記載によれば、引用文献１には、『現在のブロックの視点方向の動き情報を予測する時、時間方向に現在のピクチャの以前または以後のピクチャにおいて現在のブロックと同一位置にあるブロックの視点方向の動き情報を用いる』ことが記載されている。
ｃ．上記イ（ア）ｉ、ｊの記載によれば、引用文献１には、『現在のブロックに隣接するコーナーに位置するブロック（上右側ブロックＣ，上左側ブロックＤ）の視点方向コーディング情報を、現在のブロックの視点方向コーディング情報の予測に用いる』ことが記載されている。
（ウ）引用文献２に記載される技術事項
　上記イ（イ）の記載によれば、引用文献２には、『予測ベクトル（ＰＭＶ）の選択情報を符号化する』ことが記載されている。
（エ）周知文献に記載される技術事項
　上記イ（ウ）の記載によれば、周知文献には、『現在ブロックの右上部に隣接したｃブロック、左上部に隣接したｄブロック、及び左下部に隣接したｅブロックを、現在ブロックの動きベクトル予測子として利用する』ことが記載されている。
エ．対比
　上記アに示した補正後発明１と、上記ウ（ア）に示した引用発明１とを対比する。
（ア）補正後発明１の構成（Ａ）、（Ｂ）、（Ｆ）と引用発明１の構成（ａ）、（ｂ）、（ｅ）との対比
　引用発明１の（ａ）、（ｂ）、（ｅ）は、補正後発明１の構成（Ａ）、（Ｂ）、（Ｆ）に相当する。
（イ）補正後発明１の構成（Ｃ）と引用発明１の構成（ｃ）との対比
　引用発明１は、現在ブロックの視点方向の動きベクトルの予測に、視点方向の動きベクトルを持っている隣接ブロックＣの視点方向の動きベクトルを用いており、これは、補正後発明１の「前記現在ブロックの周辺ブロックのうち、前記第１視点と異なる視点の参照フレームを参照する周辺ブロックの視点方向動きベクトル」に相当するものである。
　したがって、引用発明１は、補正後発明１と「前記現在ブロックの周辺ブロックのうち、前記第１視点と異なる視点の参照フレームを参照する周辺ブロックの視点方向動きベクトルを用いて、視点方向予測動きベクトル候補を定める段階」を有している点で一致する。
　ただし、「視点方向予測動きベクトル候補を定める段階」が、補正後発明１では、さらに「前記現在ブロックと同じ第１視点に属しつつ、現在フレームのＰＯＣ（Ｐｉｃｔｕｒｅ　Ｏｒｄｅｒ　Ｃｏｕｎｔ）と異なるＰＯＣを持つ第２参照フレームに属する対応領域が持つ視点方向動きベクトル」を用いるのに対し、引用発明１はそのようなものではない点で両者は相違する。
（ウ）補正後発明１の構成（Ｄ）と引用発明１の構成（ｄ）との対比
　引用発明１は、現在のブロックの実際の視点方向の動きベクトルと予測された視点方向の動きベクトルとの差値を伝送することのみが特定されているが、ビデオ符号化において差値を伝送する際に符号化を行うことは技術常識である。
　よって、引用発明１の上記構成は、補正後発明１の構成（Ｄ）と「前記視点方向予測動きベクトル候補から選択された一つの視点方向予測動きベクトルと前記現在ブロックの視点方向動きベクトルとの差値を符号化する段階」という点で一致するものである。
　ただし、「符号化する段階」が、補正後発明１では、さらに「前記選択された視点方向予測動きベクトルに関するモード情報」を符号化するのに対し、引用発明１はそのようなものではない点で両者は相違する。
（エ）補正後発明１の構成（Ｅ）と引用発明１の構成（ｃ）との対比
　引用発明１は、現在ブロックの視点方向の動きベクトルの予測に、時間方向の動きベクトルを持っている２個の隣接ブロックＡ、Ｂの時間方向の動きベクトルが示す２個のレファレンスブロックが持っているそれぞれの視点方向の動きベクトルを用いている。
　ここで、引用発明１のレファレンスブロックは、現在ブロックと同じ視点に属しつつ、現在フレームと異なる時間の参照フレームに属するブロックであるから、補正後発明１の構成（Ｃ）でいうところの「第２参照フレーム」に属するものである。
　そうすると、引用文献１の上記構成は、第２参照フレームに属しつつ、現在ブロックと同位置のブロックを、２個の隣接ブロックＡ、Ｂの時間方向動きベクトルを用いてシフトした、対応ブロックが持っているそれぞれの視点方向の動きベクトルを用いるものといえる。
　よって、引用発明１の上記構成は、補正後発明１の構成（Ｅ）、（Ｅ−２）と、「前記視点方向予測動きベクトル候補」は、「前記第２参照フレームに属しつつ、前記現在ブロックと同位置のブロックを、前記現在ブロックの周辺ブロックの時間方向動きベクトルを用いてシフトした、対応ブロックが持つ視点方向動きベクトルを含」むというものである点で一致する。
　ただし、「対応ブロック」が、補正後発明１では、現在ブロックの周辺ブロックの時間方向動きベクトル「の中間値」を用いてシフトしたものであるのに対し、引用発明１はそのようなものではない点で両者は相違する。
　さらに、補正後発明１では、「視点方向予測動きベクトル候補」に、構成（Ｅ−１）の「前記現在ブロック以前に符号化されたコーナーに位置しているブロックの視点方向動きベクトルから選択された視点方向第１予測動きベクトル」を含み、構成（Ｅ−３）の「前記コーナーは前記現在ブロックの左下段の位置を含む」ものであるのに対し、引用発明１はそのようなベクトル候補を有していない点で両者は相違する。
（オ）対比のまとめ
　以上（ア）ないし（エ）の対比結果を踏まえると、補正後発明１と引用発明１との一致点及び相違点は以下のとおりである。
［一致点］
　多視点ビデオの動きベクトル符号化方法において、
　符号化される現在ブロックの第１視点と異なる第２視点の第１参照フレームに対して前記現在ブロックに対する動き予測を行って、前記現在ブロックの視点方向動きベクトルを定める段階と、
　前記現在ブロックの周辺ブロックのうち、前記第１視点と異なる視点の参照フレームを参照する周辺ブロックの視点方向動きベクトルを用いて、視点方向予測動きベクトル候補を定める段階と、
　前記視点方向予測動きベクトル候補から選択された一つの視点方向予測動きベクトルと前記現在ブロックの視点方向動きベクトルとの差値を符号化する段階と、を含み、
　前記視点方向予測動きベクトル候補は、
　前記第２参照フレームに属しつつ、前記現在ブロックと同位置のブロックを、前記現在ブロックの周辺ブロックの時間方向動きベクトルを用いてシフトした、対応ブロックが持つ視点方向動きベクトルを含む、
　ことを特徴とする多視点ビデオの動きベクトル符号化方法。
［相違点１］
　「視点方向予測動きベクトル候補を定める段階」が、補正後発明１では、さらに「前記現在ブロックと同じ第１視点に属しつつ、現在フレームのＰＯＣ（Ｐｉｃｔｕｒｅ　Ｏｒｄｅｒ　Ｃｏｕｎｔ）と異なるＰＯＣを持つ第２参照フレームに属する対応領域が持つ視点方向動きベクトル」を用いるのに対し、引用発明１はそのようなものではない点。
［相違点２］
　「符号化する段階」が、補正後発明１では、さらに「前記選択された視点方向予測動きベクトルに関するモード情報」を符号化するのに対し、引用発明１はそのようなものではない点。
［相違点３］
　「対応ブロック」が、補正後発明１では、現在ブロックの周辺ブロックの時間方向動きベクトル「の中間値」を用いてシフトしたものであるのに対し、引用発明１はそのようなものではない点。
［相違点４］
　補正後発明１では、「視点方向予測動きベクトル候補」に、「前記現在ブロック以前に符号化されたコーナーに位置しているブロックの視点方向動きベクトルから選択された視点方向第１予測動きベクトル」を含み、「前記コーナーは前記現在ブロックの左下段の位置を含む」ものであるのに対し、引用発明１はそのようなベクトル候補を有していない点。
オ．判断
　上記相違点について検討する。
（ア）相違点１について
　上記ウ（イ）ｂに示したように、引用文献１には、他の実施例として『現在のブロックの視点方向の動き情報を予測する時、時間方向に現在のピクチャの以前または以後のピクチャにおいて現在のブロックと同一位置にあるブロックの視点方向の動き情報を用いる』ことが記載されており、この手法を引用発明１に適用して、視点方向予測動きベクトル候補に、現在ブロックと同じ第１視点に属しつつ、現在フレームと異なる時間の第２参照フレームに属する対応領域が持つ視点方向動きベクトルを加えることは、当業者が容易に想到し得ることである。
　よって、相違点１にかかる「視点方向予測動きベクトル候補を定める段階」が、「前記現在ブロックと同じ第１視点に属しつつ、現在フレームのＰＯＣ（Ｐｉｃｔｕｒｅ　Ｏｒｄｅｒ　Ｃｏｕｎｔ）と異なるＰＯＣを持つ第２参照フレームに属する対応領域が持つ視点方向動きベクトル」を用いるものとすることは、当業者が容易になし得ることである。
（イ）相違点２について
　動きベクトルを予測する際にどの動き予測ベクトル候補を選択したかという情報を符号化して伝送することは、例えば、引用文献２に『予測ベクトル（ＰＭＶ）の選択情報を符号化する』ことが記載されているように（上記ウ（ウ）を参照のこと）、ビデオ符号化技術においては周知の技術であり、動き予測ベクトル選択情報は動きベクトルに関するモード情報に相当するのもである。
　よって、相違点２にかかる「符号化する段階」が、「前記選択された視点方向予測動きベクトルに関するモード情報」を符号化するものとすることは、当業者が容易になし得ることである。
（ウ）相違点３について
　引用文献１に、他の実施例として『隣接する複数のブロックを用いて現在のブロックの動きベクトルを予測する場合に、隣接する複数のブロックのそれぞれ動きベクトルの中間値（ｍｅｄｉａｎ）や平均値を用いる』ことが記載されているように（上記ウ（イ）ａを参照のこと）、動きベクトル予測の候補として複数の動きベクトルの中間値を用いることは、ビデオ符号化技術においては一般的に行われていることである。
　それに対し、補正後発明１は、現在ブロックの周辺ブロックの時間方向動きベクトルの中間値を用い、その中間値でシフトした対応ブロックが持つ視点方向動きベクトルを視点方向予測動きベクトル候補とするものである。
　そして、引用文献１に記載される複数の動きベクトルの中間値を用いて動きベクトル予測の候補を得ることと、補正後発明１の複数の動きベクトルの中間値を用いて動きベクトル予測の候補を得るための対応ブロックを定めることは、動きベクトル予測の候補を得る手法としては異なる手法であって、最終的に選ばれる動きベクトル予測の候補も完全に一致しないものであり、そのような異なる手法において、前者の手法に代えて後者の手法を採用しようとする動機付けはどの文献からも認められず、当業者が容易に想到し得ることとはいえない。
　さらに、動きベクトル予測の候補を取得するための対応ブロックを、現在ブロックの周辺ブロックの動きベクトルの中間値を用いて定めるという補正後発明１の技術思想は、引用文献１のその他の記載及びその他の文献には開示されていない。
　したがって、相違点３は、引用文献１及びその他の文献から当業者が容易になし得るものではない。
（エ）相違点４について
　現在ブロックのコーナーに位置している以前に符号化されたブロックの動きベクトルから動きベクトル予測の候補を選択することは、ビデオ符号化技術において周知の技術であり、上記ウ（イ）ｃに示したように、引用文献１には、他の実施例として『現在のブロックに隣接するコーナーに位置するブロック（上右側ブロックＣ，上左側ブロックＤ）の視点方向コーディング情報を、現在のブロックの視点方向コーディング情報の予測に用いる』こと、すなわち、視点方向の予測においても同様の技術を用いることが記載されている。
　さらに、上記ウ（エ）に示したように、『現在ブロックの右上部に隣接したｃブロック、左上部に隣接したｄブロック、及び左下部に隣接したｅブロックを、現在ブロックの動きベクトル予測子として利用する』ことは、ビデオ符号化技術において周知の技術である。
　これらのことから、引用発明１において、「視点方向予測動きベクトル候補」として、相違点４にかかる「前記現在ブロック以前に符号化されたコーナーに位置しているブロックの視点方向動きベクトルから選択された視点方向第１予測動きベクトル」を採用し、さらに「前記コーナーは前記現在ブロックの左下段の位置を含む」ものとすることは、当業者が容易になし得ることである。
（オ）相違点についての判断の小括
　以上のように、相違点３は、引用文献１及びその他の文献から当業者が容易になし得るものではなく、補正後発明１は、引用文献１、引用文献２に記載の技術及び周知技術に基づいて、当業者が容易に発明をすることができたとはいえない。
（３−２）補正後発明２ないし９について
　補正後発明１と同様の技術事項を備える補正後発明５，８，９、補正後発明１を引用する補正後発明２ないし４、及び、補正後発明５を引用する補正後発明６，７は、補正後発明１と同様に、引用発明１、引用文献２に記載の技術及び周知技術に基づいて、当業者が容易に発明をすることができたとはいえない。
（３−３）独立特許要件についての小括
　以上のことから、補正後発明１ないし９は、特許法第１７条の２第６項において準用する同法第１２６条第７項の規定に適合する。
３．むすび
　本件補正は、特許法第１７条の２第３項ないし第６項の規定に適合する。
第３．本願発明
　本件補正は上記のとおり、特許法第１７条の２第３項ないし第６項の規定に適合するから、本願の請求項１ないし９に係る発明は、本件補正により補正された特許請求の範囲の請求項１ないし９に記載された事項により特定されるとおりのものである。
　そして、本件補正後の請求項１ないし９に記載された発明は、上記「第２．平成２７年１１月３０日付けの手続補正の適否」の「２．補正の適否の判断」の「（３）独立特許要件について」に示したとおり、当業者が引用文献１、引用文献２に記載の技術及び周知技術に基づいて容易に発明をすることができたものではない。
　したがって、本願については、原査定の拒絶理由を検討してもその理由によって拒絶すべきものとすることはできない。
　また、他に本願を拒絶すべき理由を発見しない。
　よって、結論のとおり審決する。